(57)【特許請求の範囲】
【請求項１】
所定の方向に沿った断面が凸形状となるように平板を折曲形成し、前記凸形状の凸部平面部を金属製本体に取り付けた取付金具と、蓄電池と、平板状のＬＥＤユニットと、前記ＬＥＤユニットと前記蓄電池に電力を供給する点灯ユニットとを備え、
前記取付金具の凸形状両側を第１の収納部、第２の収納部として、前記点灯ユニットと前記蓄電池とをそれぞれ前記第１の収納部、前記第２の収納部に配置し、前記ＬＥＤユニットを前記取付金具の凸形状両側の壁面外側に取り付けたことを特徴とする、照明装置。
【発明の詳細な説明】
【技術分野】
【０００１】
この発明は、主に天井面に取り付けられる非常灯や誘導灯等の照明装置に用いられる取付金具及びこの取付金具を備えた照明装置に関する。
【背景技術】
【０００２】
天井面に取り付けられる照明装置として、光源の周囲に点灯回路を配置するようにしたものがある（例えば、特許文献１参照。）。光源及び点灯回路が配置される器具本体を中央の開口部の周辺における中央側が凸面部となり、周辺側が凹面部となる凹凸状に形成し、丸形蛍光ランプを凸面部の下面側に配置し、点灯回路を凹面部の上面側に配置される。この構成により、天井面からの照明装置の張出を少なくできるとされている。
【０００３】
ところが、光源の周囲に点灯回路を配置することとすると、天井面からの照明装置の張出は少なくなるが、平面形状が大型化し、階段や通路等の比較的狭い天井面に取り付けられる非常灯や誘導灯等の照明装置には適さない。
【０００４】
このため、比較的狭い天井面に取り付けられる照明装置では、光源の上方に点灯回路を備えることにより、平面形状を小さくすることが好ましい。
【先行技術文献】
【特許文献】
【０００５】
【特許文献１】特開平０８−０３１２２３号公報
【発明の概要】
【発明が解決しようとする課題】
【０００６】
しかし、比較的狭い天井面に取り付けられる照明装置であっても、天井面からの張出をできるだけ少なくすべきであるが、光源以外に収納すべき部品数の増加により、張出量を十分に小さくできない問題が生じる。特に、非常灯では、常用時の点灯回路だけでなく、非常時の点灯回路及び蓄電池を備える必要があり、蓄電池は外郭温度を４５度以下にすることが求められるため、少なくとも発熱源となる常用時の点灯回路から十分に離間させる必要がある。
【０００７】
この発明の目的は、蓄電池を常用時の点灯回路から十分に離間させた状態で天井面からの張出を増加させることなく平面形状を小型化できる照明装置を提供することにある。
【課題を解決するための手段】
【０００８】
この発明の照明装置は、所定の方向に沿った断面が凸形状となるように平板を折曲形成し、前記凸形状の凸部平面部を金属製本体に取り付けた取付金具と、蓄電池と、平板状のＬＥＤユニットと、前記ＬＥＤユニットと前記蓄電池に電力を供給する点灯ユニットとを備えている。そして、前記取付金具の凸形状両側を第１の収納部、第２の収納部として、前記点灯ユニットと前記蓄電池とをそれぞれ前記第１の収納部、前記第２の収納部に配置し、前記ＬＥＤユニットを前記取付金具の凸形状両側の壁面外側に取り付ける。
【０００９】
所定の方向に沿った断面が凸形状となるように平板を折曲形成し、前記凸形状の凸部平面部を金属製本体に取り付けた取付金具の凸形状両側に形成される第１の収納部と第２の収納部に点灯ユニットと蓄電池が配置される。すなわち、第１の収納部に収納された点灯ユニットと第２の収納部に収納された蓄電池との間に凸形状による空間部が位置する。第１及び第２の収納部の外側に光源が位置する。第１の収納部に発熱源となる点灯ユニットを収納し、第２の収納部に蓄電池を収納すると、点灯ユニットから蓄電池に過大な熱が伝播せず、蓄電池の温度上昇が緩和される。凸形状の凸部平面部を金属製本体に取り付けているため、凸形状から本体への放熱も十分に行われる。第１の収納部と第２の収納部は同一高さにあるため、点灯ユニットと蓄電池も同一高さとなり、薄型化に寄与する。
【００１０】
取付金具は、所定の方向に沿った断面が凸形状となるように平板を折曲形成して形成されるため、第１の収納部と第２の収納部間に空間部が出来る。この空間部の上部である凸部平面部が金属製本体に取り付けられているため、この空間部により点灯ユニットから蓄電池への熱の伝播をより効果的に防止できる。
【００１１】
また、第１及び第２の収納部は、単一の金属平板を複数箇所で折り曲げて形成される。
【００１２】
さらに、空間部を第３の収納部として使用することもできる。３個以上の電気部品を収納することができる。
【００１３】
この発明の照明装置は、上述の照明装置用取付金具を備え、第１の収納部に点灯ユニットを収納し、第２の収納部に蓄電池を備えている。非常時に光源の電源となる蓄電池を発熱源となる点灯ユニットとの間に空間部を挟んで配置することができ、非常灯を小型に形成することができる。
【発明の効果】
【００１４】
この発明によれば、蓄電池を常用時の点灯回路から十分に離間させた状態で天井面からの張出を増加させることなく平面形状を小型化できる。
【図面の簡単な説明】
【００１５】
【図１】本発明の第１の実施形態に係る照明装置の組立図である。
【図２】同照明装置の断面図である。
【図３】同照明装置のブロック図である。
【図４】（Ａ）及び（Ｂ）は、この発明の第２の実施形態に係る照明装置のブロック図及び用部の斜視図である。
【発明を実施するための形態】
【００１６】
以下に、この発明の実施形態に係る照明装置用取付金具及び照明装置について、図面を参照しつつ説明する。
【００１７】
図１に示すように、本発明の第１の実施形態に係る照明装置１０は、本体１、カバー２、取付金具３、点灯ユニット４、蓄電池５、２個のＬＥＤユニット６を備え、誘導灯／非常灯として使用される。
【００１８】
本体１は、例えば金属製平板を素材として下面が開放した円形筐体に形成され、天井面に取り付けられる。カバー２は、透光性ガラス等の不燃性材料を素材として上面が開放した円形筐体に形成され、本体１に下方から固定される。本体１及びカバー２の内部に、取付金具３を介して、点灯ユニット４、蓄電池５及びＬＥＤユニット６が収納される。
【００１９】
取付金具３は、一例として単一の円形の金属平板を４箇所で折り曲げて配列方向Ｘに沿って垂直に切った断面が凸形状となるように形成されており、凸形状両側の第１の収納部３１と第２の収納部３２とを空間部３３を挟んで配置したものである。また、凸形状の凸部平面部３９は金属製の本体１に取り付けられている。第１の収納部３１及び第２の収納部３２には、それぞれ点灯ユニット４及び蓄電池５が収納される。点灯ユニット４及び蓄電池５は、この発明の電気部品に相当する。
【００２０】
第１の収納部３１は壁面３１Ａ及び底面３１Ｂで区画され、第２の収納部３２は壁面３２Ａ及び底面３２Ｂで区画されている。壁面３１Ａ及び壁面３２Ａは、それぞれ第１の収納部３１及び第２の収納部３２と空間部３３との間に位置する。底面３１Ｂ及び底面３２Ｂは、配列方向Ｘに直交する垂直方向における第１の収納部３１及び第２の収納部３２の外側に、２個のＬＥＤユニット６を保持する保持部３４を構成する。
【００２１】
この発明の光源である２個のＬＥＤユニット６は、それぞれ部分円弧状の平面形状を呈し、複数のＬＥＤが実装された基板の表面を下向きにして、水平面内で配列方向Ｘに直交する方向に沿って対称に配置される。２個のＬＥＤユニット６は、常用時及び非常時の光源として併用され、複数のＬＥＤの光をカバー２の内側面に向けて照射する。
【００２２】
本体１の上面及び取付金具３の空間部３３の上面には、貫通孔１１及び貫通孔３６と取付孔１２及び取付孔３７とが互いに対向して形成されている。本体１は、取付金具３の下方から取付孔３７及び取付孔１２を順に貫通する取付ネジを介して天井面に固定される。天井面から露出した商用電源線は、貫通孔１１及び貫通孔３６を順に経由して照明装置１０の内部に導かれる。
【００２３】
図２に示すように、本体１とカバー２との内部には、取付金具３を介して点灯ユニット４、蓄電池５及びＬＥＤユニット６が収納される。第２の収納部３２に収納された蓄電地５は、壁面３１Ａ及び壁面３２Ａを挟んで空間部３３によって第１の収納部３１に収納される点灯ユニット４から離間して配置される。また、点灯ユニット４及び蓄電池５と保持部３４に収納されたＬＥＤユニット６との間には底面３１Ｂ及び底面３２Ｂが位置している。
【００２４】
このように、水平面内で第１の収納部３１及び第２の収納部３２と保持部３４とが重複しているため、点灯ユニット４及び蓄電池５がＬＥＤユニット６の上方に位置し、水平面内で照明装置１０を小型に構成することができる。また、第１の収納部３１、第２の収納部３２及び空間部３３を略同一水平面内に配置されており、保持部３４を含めて２層構造となって上下方向についても照明装置１０を小型に構成することができる。照明装置１０は、狭小な天井面に少ない張出量で配置することができる。
【００２５】
図３に示すように、点灯ユニット４は、商用電源４１からの交流電源を直流電源に変換するＡＣ／ＤＣ変換回路４２、ＬＥＤユニット６におけるＬＥＤの点灯を制御する点灯回路４３、蓄電池５を充電する充電回路４４，蓄電池５の電圧を昇圧する昇圧回路４５を備えている。常用時には、商用電源４１からの交流電源をＡＣ／ＤＣ変換回路４２で直流電源に変換して点灯回路４３に供給しつつ、充電回路４４を介して蓄電池５を充電する。非常時には、蓄電池５の電力を昇圧回路４５で昇圧して点灯回路４３に供給する。
【００２６】
このため、点灯ユニット４は、常用時に主としてＡＣ／ＤＣ変換回路４２を発熱源として熱を発生する。点灯ユニット４が発生した熱は、壁面３１Ａ及び壁面３２Ａ並びに空間部３３の存在により、また、凸部平面部３９から本体１へ熱が放散されるために、蓄電池５の温度を過度に上昇させることがなく、蓄電池５は非常灯において要求される４５度以下の温度に維持される。
【００２７】
また、点灯ユニット４とＬＥＤユニット６との間には底面３１Ｂが位置しているため、点灯ユニット４が発生した熱によってＬＥＤユニット６の故障を生じることがない。さらに、蓄電池５とＬＥＤユニット６との間には底面３２Ｂが位置しているため、ＬＥＤユニット６が発生した熱によって蓄電池５の温度が過度に上昇することがない。
【００２８】
図４（Ａ）に示すように、この発明の第２の実施形態に係る照明装置は、点灯ユニット４を第１ユニット４Ａ及び第２ユニット４Ｂの２分割に構成したものである。第１ユニット４Ａは、ＡＣ／ＤＣ変換回路４２を収納する。第２ユニット４Ｂは、点灯回路４３、充電回路４４及び昇圧回路４５を収納する。各回路の機能は、図３に示した点灯ユニット４と同様である。照明装置の内部には、ＬＥＤユニット６とともに、第１ユニット４Ａ、第２ユニット４Ｂ及び蓄電池５の３個の電気部品が収納される。
【００２９】
この場合には、図４（Ｂ）に示すように、取付金具３の空間部３３を第３の収納部として使用する。即ち、第１の収納部３１、第２の収納部３２及び空間部３３に、それぞれ第１ユニット４Ａ、蓄電池５及び第２ユニット４Ｂを収納する。蓄電池５は、主な発熱源であるＡＣ／ＤＣ変換回路４２を収納した第１ユニット４Ａから十分に離間して配置され、過度な温度上昇を生じることがない。また、第２ユニット４Ｂを収納する収納部を別途形成する必要がなく、照明装置の大型化を防止できる。
【００３０】
以上の説明では円形の誘導灯／非常灯を例に挙げて説明したが、この発明の照明装置用取付金具は円形の誘導灯／非常灯に限ることなく種々の形状及び用途の照明装置に適用することができる。また、以上の説明では照明装置を天井面に取り付ける場合について説明したが、照明装置を壁面に取り付ける場合にもこの発明を同様に適用できる。
【符号の説明】
【００３１】
１−本体
２−カバー
３−取付金具
４−点灯ユニット
５−蓄電池
６−ＬＥＤユニット
１０−照明装置
３１−第１の収納部
３２−第２の収納部
３３−空間部
３４−保持部
【図１】
0006277405.tif 000002
【図２】
0006277405.tif 000003
【図３】
0006277405.tif 000004
【図４】
0006277405.tif 000005